【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
ａ）筐体と、
ｂ）該筐体に装着されたトランスデューサであって、オーディオ信号によって駆動されることに応答して筐体内に振動を創成する前記トランスデューサと、
ｃ）振動の部分だけが携帯装置に結合されるように、携帯装置をアイソレータを介して筐体に機械的に結合するクレードル組立体と、
を備えたオーディオ・システム。
【請求項２】
携帯装置の動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項１に記載のオーディオ・システム。
【請求項３】
筐体は、さらに、音響ポート、音響導波管、パッシブラジエータ、音響絶縁体、及び音響減衰装置の少なくとも１つを含む請求項１に記載のオーディオ・システム。
【請求項４】
筐体は、さらに、少なくとも１つのフィートを含む請求項１に記載のオーディオ・システム。
【請求項５】
携帯装置の機能を制御する信号を受信するリモート・コントロール受信器をさらに含む請求項１に記載のオーディオ・システム。
【請求項６】
該信号を発生するリモート・コントロール送信器をさらに含む請求項５に記載のオーディオ・システム。
【請求項７】
リモート・コントロール送信器は、ワイヤレス通信リンクを介してリモート・コントロール受信器と通信する請求項６に記載のオーディオ・システム。
【請求項８】
リモート・コントロール送信器は、携帯装置上の制御ボタンにマッピングされた制御ボタンをさらに含む請求項６に記載のオーディオ・システム。
【請求項９】
アイソレータは、エラストマ部材、ばね、発泡部材、コルク部材、ダッシュポット、緩衝装置、油圧システム、クッション、グロメット、及びブッシングのうちの少なくとも１つを含む請求項１に記載のオーディオ・システム。
【請求項１０】
クレードル組立体は、携帯装置をトランスデューサに電気的に結合するコネクタをさらに備える請求項１に記載のオーディオ・システム。
【請求項１１】
クレードル組立体は、携帯装置のシャーシを受け入れるように形作られたインサートをさらに含む請求項１に記載のオーディオ・システム。
【請求項１２】
クレードル組立体は、携帯装置のシャーシをクレードル組立体から隔離するエラストマ部材をさらに備える請求項１に記載のオーディオ・システム。
【請求項１３】
クレードル組立体は、少なくとも１つのフィートをさらに備える請求項１に記載のオーディオ・システム。
【請求項１４】
アイソレータは、携帯装置がクレードル組立体に結合されたときに、携帯装置がオーディオ・システムに遮断されないデータ・ストリームを提供するように、携帯装置に結合された振動の少なくとも部分の振幅を減少する請求項１に記載のオーディオ・システム。
【請求項１５】
携帯装置の動作は、トランスデューサが約１２００Ｈｚから約２０ｋＨｚまでの範囲の振動を創成するときに、遮断されない請求項１に記載のオーディオ・システム。
【請求項１６】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、もしくは携帯用小型無線呼出し機（ポケットベル）の少なくとも１つを含む請求項１に記載のオーディオ・システム。
【請求項１７】
携帯装置は、ディスク・ドライブを備える請求項１に記載のオーディオ・システム。
【請求項１８】
携帯装置は、携帯オーディオ・プレーヤを備える請求項１に記載のオーディオ・システム。
【請求項１９】
オーディオ信号を処理するプロセッサをさらに備える請求項１に記載のオーディオ・システム。
【請求項２０】
プロセッサは、オーディオ信号における１つまたはそれ以上の所定の周波数の利得を変更する利得セルを含む請求項１９に記載のオーディオ・システム。
【請求項２１】
プロセッサは、オーディオ信号における１つまたはそれ以上の所定の周波数の利得を変更するノッチ・フィルタを含む請求項１９に記載のオーディオ・システム。
【請求項２２】
プロセッサは、携帯装置の動作を遮断し得る筐体における振動に対応するオーディオ信号の１つまたはそれ以上の所定周波数に同調されるノッチ・フィルタを備える請求項１９に記載のオーディオ・システム。
【請求項２３】
携帯装置からの信号を変更し、該変更された信号をプロセッサに送信するインターフェース・モジュールをさらに備える請求項１９に記載のオーディオ・システム。
【請求項２４】
プロセッサは、携帯装置がオーディオ・システムに結合されるときに、オーディオ信号の利得を所定の増分で増加させる請求項１９に記載のオーディオ・システム。
【請求項２５】
プロセッサは、携帯装置の均等化パラメータを所定の設定値に予め設定する請求項１９に記載のオーディオ・システム。
【請求項２６】
オーディオ・システムからのオーディオを伝送するための方法であって、
ａ）アイソレータを介してオーディオ・システムの筐体に機械的に結合される携帯装置でオーディオ信号を生成する段階と、
ｂ）該オーディオ信号を、筐体に装着されるトランスデューサに伝送する段階であって、該トランスデューサは、オーディオ信号によって駆動されることに応答して筐体内に振動を創成し、振動の部分だけが携帯装置に結合されるものである前記段階と、
を含む方法。
【請求項２７】
携帯装置の動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項２６に記載の方法。
【請求項２８】
携帯装置によって生成されたオーディオ信号を変更し、該変更されたオーディオ信号をトランスデューサに伝送する段階をさらに含む請求項２６に記載の方法。
【請求項２９】
オーディオ信号における１つまたはそれ以上の所定の周波数の利得を変更する段階をさらに含む請求項２６に記載の方法。
【請求項３０】
アイソレータは、エラストマ部材、ばね、発泡部材、コルク部材、ダッシュポット、緩衝装置、油圧システム、クッション、グロメット、及びブッシングのうちの少なくとも１つを含む請求項２６に記載の方法。
【請求項３１】
携帯装置は、ディスク・ドライブを備える請求項２６に記載の方法。
【請求項３２】
アイソレータは、ディスク・ドライブの動作が、筐体における振動によって遮断されるのを実質的に阻止する請求項３１に記載の方法。
【請求項３３】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、及び携帯用小型無線呼出し機（ポケットベル）のうちの少なくとも１つを含む請求項２６に記載の方法。
【請求項３４】
リモート・コントロール送信器で携帯装置の作用を制御する段階をさらに含む請求項２６に記載の方法。
【請求項３５】
携帯装置のためのオーディオ・システムを製造する方法であって、
ａ）オーディオ信号によって駆動されることに応答してオーディオ・システムにおける筐体内に振動を創成するトランスデューサを、該筐体に装着する段階と、
ｂ）クレードル組立体に装着されるとき振動の部分だけが携帯装置に結合されるように、該クレードル組立体をアイソレータを介して筐体に装着する段階と、を含む方法。
【請求項３６】
携帯装置の動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項３５に記載の方法。
【請求項３７】
音響ポート、音響導波管、パッシブラジエータ、音響絶縁体、及び音響減衰装置の少なくとも１つを筐体に追加する段階をさらに含む請求項３５に記載の方法。
【請求項３８】
携帯装置の作用を制御する信号を受信する受信器を筐体に装着する段階をさらに含む請求項３５に記載の方法。
【請求項３９】
アイソレータは、エラストマ部材、ばね、発泡部材、コルク部材、ダッシュポット、緩衝装置、油圧システム、クッション、グロメット、及びブッシングのうちの少なくとも１つを含む請求項３５に記載の方法。
【請求項４０】
携帯装置を支持するようクレードル組立体内にインサートを形成する段階をさらに含む請求項３５に記載の方法。
【請求項４１】
携帯装置は、ディスク・ドライブを備える請求項３５に記載の方法。
【請求項４２】
携帯装置は、携帯オーディオ・プレーヤを備える請求項３５に記載の方法。
【請求項４３】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、及び携帯用小型無線呼出し機（ポケットベル）のうちの少なくとも１つを含む請求項３５に記載の方法。
【請求項４４】
携帯装置からのオーディオ信号を処理する段階をさらに含む請求項３５に記載の方法。
【請求項４５】
オーディオ・システムにおける携帯装置への振動の影響を最小にするための方法であって、
ａ）オーディオ・システムにおける筐体にトランスデューサを装着する段階と、
ｂ）トランスデューサから音響エネルギを生成するために、トランスデューサにオーディオ信号を伝送する段階であって、音響エネルギの部分が筐体内に振動を創成するものである前記段階と、
ｃ）振動の部分だけが携帯装置に結合されるように、アイソレータを介して筐体にクレードル組立体を装着する段階と、を含む方法。
【請求項４６】
携帯装置の動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項４５に記載の方法。
【請求項４７】
筐体は、音響ポート、音響導波管、パッシブラジエータ、音響絶縁体、及び音響減衰装置の少なくとも１つをさらに含む請求項４５に記載の方法。
【請求項４８】
携帯装置の作用を制御する信号を受信する受信器を筐体に装着する段階をさらに含む請求項４５に記載の方法。
【請求項４９】
アイソレータは、エラストマ部材、ばね、発泡部材、コルク部材、ダッシュポット、緩衝装置、油圧システム、クッション、グロメット、及びブッシングのうちの少なくとも１つを含む請求項４５に記載の方法。
【請求項５０】
携帯装置を支持するようクレードル組立体内にインサートを形成する段階をさらに含む請求項４５に記載の方法。
【請求項５１】
携帯装置は、携帯オーディオ・プレーヤを備える請求項４５に記載の方法。
【請求項５２】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、及び携帯用小型無線呼出し機（ポケットベル）のうちの少なくとも１つを含む請求項４５に記載の方法。
【請求項５３】
トランスデューサに、オーディオ信号を増幅する増幅器を結合する段階をさらに含む請求項４５に記載の方法。
【請求項５４】
オーディオ信号を処理する段階をさらに含む請求項４５に記載の方法。
【請求項５５】
オーディオ・システムからのオーディオを伝送するための装置であって、
ａ）アイソレータを介してオーディオ・システムの筐体に機械的に結合される携帯装置でオーディオ信号を生成するための手段と、
ｂ）該オーディオ信号を、筐体に装着されるトランスデューサに伝送するための手段と、を備え、該トランスデューサは、オーディオ信号によって駆動されることに応答して筐体内に振動を創成し、振動の部分だけが携帯装置に結合されるようにした装置。
【請求項５６】
オーディオ信号は、周波数範囲を有し、アイソレータは、携帯装置が、筐体に機械的に結合されたクレードル組立体に接続されたときに、オーディオ・システムの動作が遮断されないように、結合された振動の少なくとも部分の振幅を減少するようにした請求項２６に記載の方法。
【請求項５７】
オーディオ信号は、周波数範囲を有し、アイソレータは、携帯装置が、筐体に機械的に結合されたクレードル組立体に接続されたときに、オーディオ・システムの動作が遮断されないように、結合された振動の少なくとも部分の振幅を減少するようにした請求項３５に記載の方法。
【請求項５８】
オーディオ信号は、周波数範囲を有し、アイソレータは、携帯装置が、筐体に機械的に結合されたクレードル組立体に接続されたときに、オーディオ・システムの動作が遮断されないように、結合された振動の少なくとも部分の振幅を減少するようにした請求項４５に記載の方法。
【請求項５９】
オーディオ信号は、周波数範囲を有し、アイソレータは、携帯装置が、筐体に機械的に結合されたクレードル組立体に接続されたときに、オーディオ・システムの動作が遮断されないように、結合された振動の少なくとも部分の振幅を減少するようにした請求項５５に記載の装置。
【請求項６０】
携帯装置の動作は、トランスデューサが約１０Ｈｚから約８００Ｈｚまでの範囲における振動を創成しているときに、遮断されない請求項１に記載のオーディオ・システム。
【請求項６１】
アイソレータは、携帯装置の遮断を引き起こすことなく、携帯装置からトランスデューサに与えられる信号の増加された最大振幅を許容する請求項１に記載のオーディオ・システム。
【請求項６２】
ａ）オーディオ信号によって駆動されることに応答して振動を創成するトランスデューサと、
ｂ）トランスデューサ及び携帯装置間の振動の経路にあるアイソレータと、を備え、それにより、振動の部分だけが携帯装置に結合されるオーディオ・システム。
【請求項６３】
オーディオ信号は、携帯装置によって供給される請求項６２に記載のオーディオ・システム。
【請求項６４】
振動を減少する方法であって、
ａ）トランスデューサが筐体に結合される振動を創成するようにオーディオ信号でトランスデューサを駆動する段階と、
ｂ）携帯装置を筐体に取り外し可能に機械的に結合する段階と、
ｃ）携帯装置から振動の少なくとも部分を隔離する段階と、
を含む方法。